【事件の表示】
　国際商標登録第８７９４００号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲のとおりの構成からなり、第１類、第６類、第７類、第９類、第１２類、第１４類、第１９類及び第３８類に属する日本国を指定する国際登録において指定された商品及び役務を指定商品及び指定役務として、２００５年１月１３日にＲｅｐｕｂｌｉｃ　ｏｆ　Ｋｏｒｅａにおいてした商標登録出願に基づいてパリ条約第４条による優先権を主張し、２００５年（平成１７年）４月８日に国際商標登録出願されたものである。
　その後、指定商品及び指定役務については、原審における平成１９年９月１８日付け及び同２０年７月４日付け手続補正書、並びに当審における２００９年（平成２１年）８月１４日付けで国際登録簿に記録された限定の通報があった結果、最終的に、第１類「Ｃｈｅｍｉｃａｌｓ　ｕｓｅｄ　ｉｎ　ｉｎｄｕｓｔｒｙ，ａｇｒｉｃｕｌｔｕｒｅ，ｈｏｒｔｉｃｕｌｔｕｒｅ，ｆｏｒｅｓｔｒｙ；ｃｈｅｍｉｃａｌ　ｐｒｅｐａｒａｔｉｏｎｓ　ｆｏｒ　ｓｃｉｅｎｔｉｆｉｃ　ｐｕｒｐｏｓｅｓ（ｏｔｈｅｒ　ｔｈａｎ　ｆｏｒ　ｍｅｄｉｃａｌ　ｏｒ　ｖｅｔｅｒｉｎａｒｙ　ｕｓｅ）；ｃｈｅｍｉｃａｌ　ｐｒｅｐａｒａｔｉｏｎｓ　ｆｏｒ　ｕｓｅ　ｉｎ　ｐｈｏｔｏｇｒａｐｈｙ；ｕｎｐｒｏｃｅｓｓｅｄ　ａｒｔｉｆｉｃｉａｌ　ｒｅｓｉｎｓ　ｆｏｒ　ｕｓｅ　ｉｎ　ｔｈｅ　ｍａｎｕｆａｃｔｕｒｅ　ｏｆ　ｅｌｅｃｔｒｏｎｉｃ　ａｓ　ｗｅｌｌ　ａｓ　ｅｌｅｃｔｒｉｃ　ａｐｐａｒａｔｕｓ，ｕｎｐｒｏｃｅｓｓｅｄ　ｐｌａｓｔｉｃｓ　ｆｏｒ　ｕｓｅ　ｉｎ　ｔｈｅ　ｍａｎｕｆａｃｔｕｒｅ　ｏｆ　ｅｌｅｃｔｒｏｎｉｃ　ａｓ　ｗｅｌｌ　ａｓ　ｅｌｅｃｔｒｉｃ　ａｐｐａｒａｔｕｓ；ｍａｎｕｒｅｓ；ｆｉｒｅ　ｅｘｔｉｎｇｕｉｓｈｉｎｇ　ｃｏｍｐｏｓｉｔｉｏｎｓ；ｔｅｍｐｅｒｉｎｇ　ａｎｄ　ｓｏｌｄｅｒｉｎｇ　ｐｒｅｐａｒａｔｉｏｎｓ；ｃｈｅｍｉｃａｌ　ｓｕｂｓｔａｎｃｅｓ　ｆｏｒ　ｐｒｅｓｅｒｖｉｎｇ　ｆｏｏｄｓｔｕｆｆｓ；ｔａｎｎｉｎｇ　ｓｕｂｓｔａｎｃｅｓ；ａｄｈｅｓｉｖｅｓ　ｕｓｅｄ　ｉｎ　ｉｎｄｕｓｔｒｙ；ｆｅｒｔｉｌｉｚｅｒｓ；ｆｌｏｕｒ　ａｎｄ　ｓｔａｒｃｈｅｓ　ｆｏｒ　ｉｎｄｕｓｔｒｉａｌ　ｕｓｅ；ｉｎｄｕｓｔｒｉａｌ　ｉｎｏｒｇａｎｉｃ　ｃｈｅｍｉｃａｌｓ；ｉｎｄｕｓｔｒｉａｌ　ｏｒｇａｎｉｃ　ｃｈｅｍｉｃａｌｓ；ｓｕｒｆａｃｅ−ａｃｔｉｖｅ　ａｇｅｎｔｓ；ｃｈｅｍｉｃａｌ　ａｇｅｎｔｓ；ａｄｈｅｓｉｖｅｓ　ｆｏｒ　ｉｎｄｕｓｔｒｉａｌ　ｐｕｒｐｏｓｅｓ（ｅｘｃｅｐｔ　ｆｏｒ　ｓｔａｔｉｏｎｅｒｙ　ｏｒ　ｈｏｕｓｅｈｏｌｄ　ｐｕｒｐｏｓｅｓ）；ａｒｔｉｆｉｃｉａｌ　ｓｗｅｅｔｅｎｅｒｓ；ｐｌａｎｔ　ｇｒｏｗｔｈ　ｒｅｇｕｌａｔｉｎｇ　ｐｒｅｐａｒａｔｉｏｎｓ；ｃｅｒａｍｉｃ　ｇｌａｚｉｎｇｓ；ｎｏｎ−ｍｅｔａｌｌｉｃ　ｍｉｎｅｒａｌｓ；ｂｉｒｄｌｉｍｅ；ｃｈｅｍｉｃａｌ　ｔｅｓｔ　ｐａｐｅｒ；ｕｎｐｒｏｃｅｓｓｅｄ　ｐｌａｓｔｉｃｓ；ｐｕｌｐ；ｓａｌｔｓ　ｏｆ　ａｌｋａｌｉｎｅ　ｍｅｔａｌｓ；ｐｈｏｔｏｇｒａｐｈｉｃ　ｓｕｐｐｌｉｅｓ；ａｎｔｉｆｒｅｅｚｅ；ｂｒａｋｅ　ｆｌｕｉｄ；ｆｌｕｉｄｓ　ｆｏｒ　ｈｙｄｒａｕｌｉｃ　ｃｉｒｃｕｉｔｓ；ｃｕｌｔｕｒｅｓ　ｏｆ　ｍｉｃｒｏｏｒｇａｎｉｓｍｓ　ｏｔｈｅｒ　ｔｈａｎ　ｆｏｒ　ｍｅｄｉｃａｌ　ａｎｄ　ｖｅｔｅｒｉｎａｒｙ　ｕｓｅ；ｃｏｍｐｏｓｉｔｅｓ　ｆｏｒ　ｔｈｅ　ｍａｎｕｆａｃｔｕｒｅ　ｏｆ　ｔｅｃｈｎｉｃａｌ　ｃｅｒａｍｉｃ；ｃｏｎｄｕｃｔｉｖｅ　ａｄｈｅｓｉｖｅｓ；ａｄｈｅｓｉｖｅ　ｆｏｒ　ｓｅｍｉｃｏｎｄｕｃｔｏｒｓ；ｏｘｙｇｅｎ；ＰＡＳ（ｐａｒａａｍｉｎｏｓａｌｉｃｙｌｉｃ　ａｃｉｄ）；ｂｉｓｍｕｔｈ；ｓｅｌｅｎｉｕｍ；ｐｈｏｔｏｃａｔａｌｙｔｉｃ　ｓｏｌｕｔｉｏｎｓ　ｆｏｒ　ａｉｒ　ｐｕｒｉｆｙｉｎｇ；ａｒｓｅｎｉｃ；ｓｕｌｐｈｕｒｉｃ　ａｃｉｄ．」、第６類「Ｃｏｍｍｏｎ　ｍｅｔａｌ　ａｎｄ　ｔｈｅｉｒ　ａｌｌｏｙｓ；ｍｅｔａｌ　ｂｕｉｌｄｉｎｇ　ｍａｔｅｒｉａｌｓ；ｔｒａｎｓｐｏｒｔａｂｌｅ　ｂｕｉｌｄｉｎｇ　ｏｆ　ｍｅｔａｌ；ｍａｔｅｒｉａｌｓ　ｏｆ　ｍｅｔａｌ　ｆｏｒ　ｒａｉｌｗａｙ　ｔｒａｃｋｓ；ｎｏｎ−ｅｌｅｃｔｒｉｃ　ｃａｂｌｅｓ　ａｎｄ　ｗｉｒｅｓ　ｏｆ　ｃｏｍｍｏｎ　ｍｅｔａｌ；ｂｏｌｔｓ　ｏｆ　ｍｅｔａｌ；ｂｏｔｔｌｅ　ｃａｐｓ　ｏｆ　ｍｅｔａｌ；ｂｏｘｅｓ　ｏｆ　ｃｏｍｍｏｎ　ｍｅｔａｌ；ｂｕｃｋｌｅｓ　ｏｆ　ｃｏｍｍｏｎ　ｍｅｔａｌ；ｃａｔｔｌｅ　ｃｈａｉｎｓ；ｃｈｅｓｔｓ　ｏｆ　ｍｅｔａｌ；ｃｌｏｔｈｅｓ　ｈｏｏｋｓ　ｏｆ　ｍｅｔａｌ；ｉｃｅ　ｎａｉｌｓ；ｊｕｎｃｔｉｏｎｓ　ｏｆ　ｍｅｔａｌ　ｆｏｒ　ｐｉｐｅｓ；ｋｅｙｓ；ｍｅｍｏｒｉａｌ　ｐｌａｔｅｓ　ｏｆ　ｍｅｔａｌ；ｍｏｎｅｙ　ｂｏｘｅｓ　ｏｆ　ｍｅｔａｌ；ｓｔａｔｕｅｔｔｅｓ　ｏｆ　ｃｏｍｍｏｎ　ｍｅｔａｌ；ｐｉｐｅｓ　ａｎｄ　ｔｕｂｅｓ　ｏｆ　ｍｅｔａｌ；ｐｉｐｅｓ　ｏｆ　ｍｅｔａｌ；ｍｅｔａｌ　ｍａｔｅｒｉａｌｓ　ｆｏｒ　ｂｕｉｌｄｉｎｇ　ｏｒ　ｃｏｎｓｔｒｕｃｔｉｏｎ；ｍｅｔａｌ　ｊｏｉｎｅｒｙ　ｆｉｔｔｉｎｇｓ；ｓａｆｅｓ；ｍｅｔａｌ　ｈａｒｄｗａｒｅ；ｐｒｅｆａｂｒｉｃａｔｅｄ　ｂｕｉｌｄｉｎｇ　ａｓｓｅｍｂｌｙ　ｋｉｔｓ　ｏｆ　ｍｅｔａｌ；ｒｅｓｅｒｖｏｉｒｓ　ｏｆ　ｍｅｔａｌ；ｉｎｄｕｓｔｒｉａｌ　ｐａｃｋａｇｉｎｇ　ｃｏｎｔａｉｎｅｒｓ　ｏｆ　ｍｅｔａｌ；ｌｏａｄｉｎｇ　ａｎｄ　ｕｎｌｏａｄｉｎｇ　ｐａｌｌｅｔｓ　ｏｆ　ｍｅｔａｌ；ｒｏａｄ　ｓｉｇｎｓ　ｏｆ　ｍｅｔａｌ（ｎｏｔ　ｌｕｍｉｎｏｕｓ　ｎｏｒ　ｍｅｃｈａｎｉｃａｌ）；ｂｅａｃｏｎｓ　ｏｆ　ｍｅｔａｌ（ｎｏｎ−ｌｕｍｉｎｏｕｓ）；ｗｉｒｅ　ｎｅｔｓ　ａｎｄ　ｇａｕｚｅｓ；ｗｉｒｅ　ｒｏｐｅｓ；ｔｏｏｌ　ｂｏｘｅｓ　ｏｆ　ｍｅｔａｌ；ｌａｄｄｅｒｓ　ｏｆ　ｍｅｔａｌ；ｗａｔｅｒ　ｔａｎｋｓ　ｏｆ　ｍｅｔａｌ　ｆｏｒ　ｈｏｕｓｅｈｏｌｄ　ｐｕｒｐｏｓｅｓ；ｏｒｅｓ；ｃｏｐｐｅｒ　ｏｒｅｓ；ｃｏｐｐｅｒ　ｉｎｇｏｔｓ；ｃｏｐｐｅｒ　ｐｌａｔｅｓ　ａｎｄ　ｓｈｅｅｔｓ；ｃｏｐｐｅｒ　ｂａｓｅ　ａｌｌｏｙ　ｉｎｇｏｔｓ；ａｌｕｍｉｎｉｕｍ　ｗｉｒｅｓ；ｃｏｐｐｅｒ　ｗｉｒｅ，ｎｏｔ　ｉｎｓｕｌａｔｅｄ；ｎｏｎｆｅｒｒｏｕｓ　ｍｅｔａｌｓ　ａｎｄ　ｔｈｅｉｒ　ａｌｌｏｙｓ；ｗｉｒｅ　ｒｏｐｅｓ；ｃｏｐｐｅｒ　ｔｕｂｅｓ；ｓｔａｉｎｌｅｓｓ　ｓｔｅｅｌ　ｐｉｐｅｓ；ｏｒｅｓ　ｏｆ　ｍｅｔａｌ；ｂｅａｃｏｎｓ　ｏｆ　ｍｅｔａｌ，ｎｏｎ−ｌｕｍｉｎｏｕｓ；ｔｏｍｂｓｔｏｎｅ　ｓｔｅｌａｅ　ｏｆ　ｍｅｔａｌ；ｔｒａｐｓ　ｆｏｒ　ｗｉｌｄ　ａｎｉｍａｌｓ；ｂｉｒｄ　ｂｒｅｅｄｉｎｇ　ｅｎｃｌｏｓｕｒｅｓ　ｏｆ　ｍｅｔａｌ；ｂｉｒｄ　ｂａｔｈｓ　ｏｆ　ｍｅｔａｌ（ｓｔｒｕｃｔｕｒｅｓ）；ｍｅｔａｌ　ｃｈａｉｎｓ　ｆｏｒ　ｄｏｇｓ；ｍｏｎｅｙ　ｂｏｘｅｓ　ｏｆ　ｍｅｔａｌ；ｍｏｎｅｙ　ｃｌｉｐｓ　ｏｆ　ｃｏｍｍｏｎ　ｍｅｔａｌ；ｃｏｎｔａｉｎｅｒｓ　ｏｆ　ｍｅｔａｌ；ｔｏｏｌ　ｂｏｘｅｓ　ｏｆ　ｍｅｔａｌ（ｅｍｐｔｙ）；ｍｅｔａｌ　ｓｔｏｐｐｅｒｓ，ｌｉｄｓ，ａｎｄ　ｃａｐｓ　ｆｏｒ　ｃｏｎｔａｉｎｅｒｓ；ｓａｆｅｔｙ　ｃａｓｈｂｏｘｅｓ；ｄｏｏｒ　ｓｃｒａｐｅｒｓ　ｏｆ　ｍｅｔａｌ；ｍｅｔａｌ　ｇｒａｖｅｓｔｏｎｅｓ　ａｎｄ　ｔｏｍｂ　ｐｌａｑｕｅｓ；ｆｅｒｒｕｌｅｓ　ｏｆ　ｍｅｔａｌ　ｆｏｒ　ｗａｌｋｉｎｇ　ｓｔｉｃｋｓ；ｆｉｒｅ−ｄｏｇｓ　ｏｆ　ｍｅｔａｌ（ａｎｄｉｒｏｎｓ）；ｎａｉｌｓ　ｏｆ　ｍｅｔａｌ；ｂｏｌｔｓ　ｏｆ　ｍｅｔａｌ；ｎｕｔｓ　ｏｆ　ｍｅｔａｌ；ｌｏｃｋｓ　ｏｆ　ｍｅｔａｌ（ｏｔｈｅｒ　ｔｈａｎ　ｅｌｅｃｔｒｉｃ）；ａｎｖｉｌｓ；ｆｉｌｉｎｇｓ　ｏｆ　ｍｅｔａｌ；ｉｒｏｎ　ａｎｄ　ｓｔｅｅｌ；ｗｅｌｄｉｎｇ　ｒｏｄｓ　ｏｆ　ｍｅｔａｌ；ｍｅｔａｌ　ｍａｔｅｒｉａｌｓ　ｆｏｒ　ｂｕｉｌｄｉｎｇｓ　ｏｒ　ｃｏｎｓｔｒｕｃｔｉｏｎ；ｔｉｌｅｓ　ｏｆ　ｍｅｔａｌ　ｆｏｒ　ｂｕｉｌｄｉｎｇ；ｏｔｈｅｒ　ｍａｔｅｒｉａｌｓ　ｏｆ　ｍｅｔａｌ　ｆｏｒ　ｂｕｉｌｄｉｎｇ；ｗｉｎｄ　ｖａｎｅｓ　ｏｆ　ｍｅｔａｌ；ｓｉｇｎａｌｉｎｇ　ｐａｎｅｌｓ，ｎｏｎ−ｌｕｍｉｎｏｕｓ　ａｎｄ　ｎｏｎ−ｍｅｃｈａｎｉｃａｌ，ｏｆ　ｍｅｔａｌ；ｌｏａｄｉｎｇ　ｐａｌｌｅｔｓ　ｏｆ　ｍｅｔａｌ　ａｎｄ　ｔｕｒｎｔａｂｌｅｓ　ｆｏｒ　ｃａｒｇｏ；ｍａｓｔｓ　ｏｆ　ｍｅｔａｌ；ａｎｃｈｏｒｓ　ｏｆ　ｍｅｔａｌ；ａｒｔｉｆｉｃｉａｌ　ｆｉｓｈ　ｒｅｅｆｓ　ｏｆ　ｍｅｔａｌ；ｐａｉｎｔ　ｓｐｒａｙｉｎｇ　ｂｏｏｔｈｓ　ｏｆ　ｍｅｔａｌ；ｋｅｙｓ；ｃｏｔｔｅｒｓ；ｖａｌｖｅｓ　ｏｆ　ｍｅｔａｌ；ｄｉｖｉｎｇ　ｂｏａｒｄｓ　ａｎｄ　ｔｅｎｔ　ｐｅｇｓ　ｏｆ　ｍｅｔａｌ；ｃｒａｍｐｏｎｓ　ｆｏｒ　ｃｌｉｍｂｉｎｇ；ｓｔｉｒｒｕｐｓ　ａｎｄ　ｈｏｒｓｅｓｈｏｅｓ　ｏｆ　ｍｅｔａｌ；ｓｐｕｒｓ；ｂｕｃｋｌｅｓ　ｏｆ　ｍｅｔａｌｓ；ｉｎｓｅｃｔ　ｓｃｒｅｅｎｓ　ｏｆ　ｍｅｔａｌ；ｗｉｒｅ　ｇａｕｚｅ；ｗｉｒｅ　ｒｏｐｅｓ；ｓｃｕｌｐｔｕｒｅｓ　ｏｆ　ｍｅｔａｌ．」、第７類「Ｍｅｔａｌ　ｗｏｒｋｉｎｇ　ｍａｃｈｉｎｅｓ　ａｎｄ　ｔｏｏｌｓ；ｍｉｎｉｎｇ　ｍａｃｈｉｎｅｓ　ａｎｄ　ａｐｐａｒａｔｕｓ；ｃｏｎｓｔｒｕｃｔｉｏｎ　ｍａｃｈｉｎｅｓ　ａｎｄ　ａｐｐａｒａｔｕｓ；ｆｉｓｈｉｎｇ　ｍａｃｈｉｎｅｓ　ａｎｄ　ｉｎｓｔｒｕｍｅｎｔｓ；ｃｈｅｍｉｃａｌ　ｐｒｏｃｅｓｓｉｎｇ　ｍａｃｈｉｎｅｓ　ａｎｄ　ａｐｐａｒａｔｕｓ；ｔｅｘｔｉｌｅ　ｍａｃｈｉｎｅｓ　ａｎｄ　ａｐｐａｒａｔｕｓ；ｆｏｏｄ　ｏｒ　ｂｅｖｅｒａｇｅ　ｐｒｏｃｅｓｓｉｎｇ　ｍａｃｈｉｎｅｓ　ａｎｄ　ａｐｐａｒａｔｕｓ；ｌｕｍｂｅｒｉｎｇ，ｗｏｏｄｗｏｒｋｉｎｇ，ｏｒ　ｖｅｎｅｅｒ　ｏｒ　ｐｌｙｗｏｏｄ　ｍａｋｉｎｇ　ｍａｃｈｉｎｅｓ　ａｎｄ　ａｐｐａｒａｔｕｓ；ｐｕｌｐ　ｍａｋｉｎｇ，ｐａｐｅｒｍａｋｉｎｇ　ｏｒ　ｐａｐｅｒ−ｗｏｒｋｉｎｇ　ｍａｃｈｉｎｅｓ　ａｎｄ　ａｐｐａｒａｔｕｓ；ｐｒｉｎｔｉｎｇ　ｏｒ　ｂｏｏｋｂｉｎｄｉｎｇ　ｍａｃｈｉｎｅｓ　ａｎｄ　ａｐｐａｒａｔｕｓ；ａｇｒｉｃｕｌｔｕｒａｌ　ｍａｃｈｉｎｅｓ　ａｎｄ　ｉｍｐｌｅｍｅｎｔｓ；ｐａｃｋａｇｉｎｇ　ｏｒ　ｗｒａｐｐｉｎｇ　ｍａｃｈｉｎｅｓ　ａｎｄ　ａｐｐａｒａｔｕｓ；ｐｌａｓｔｉｃ　ｐｒｏｃｅｓｓｉｎｇ　ｍａｃｈｉｎｅｓ　ａｎｄ　ａｐｐａｒａｔｕｓ；ｍｏｔｏｒｓ　ａｎｄ　ｅｎｇｉｎｅｓ（ｅｘｃｅｐｔ　ｆｏｒ　ｌａｎｄ　ｖｅｈｉｃｌｅｓ）；ｍａｃｈｉｎｅ　ｃｏｕｐｌｉｎｇ　ａｎｄ　ｔｒａｎｓｍｉｓｓｉｏｎ　ｃｏｍｐｏｎｅｎｔｓ（ｅｘｃｅｐｔ　ｆｏｒ　ｌａｎｄ　ｖｅｈｉｃｌｅｓ）；ａｇｒｉｃｕｌｔｕｒａｌ　ｉｍｐｌｅｍｅｎｔｓ　ｏｔｈｅｒ　ｔｈａｎ　ｈａｎｄ−ｏｐｅｒａｔｅｄ；ｉｎｃｕｂａｔｏｒｓ　ｆｏｒ　ｅｇｇｓ；ｂｅａｔｉｎｇ　ｍａｃｈｉｎｅｓ；ｉｎｊｅｃｔｉｏｎ　ｍｏｌｄｉｎｇ　ｍａｃｈｉｎｅｓ；ｇａｒｂａｇｅ　ｄｉｓｐｏｓａｌｓ；ａｉｒ　ｃｏｍｐｒｅｓｓｏｒｓ；ｔｕｒｂｏ　ｂｌｏｗｅｒｓ；ｗｉｎｄ　ｍｉｌｌｓ；ｐｌａｓｔｉｃ　ｍａｎｕｆａｃｔｕｒｉｎｇ　ｍａｃｈｉｎｅｓ；ｐｌａｓｔｉｃ　ｐｒｏｃｅｓｓｉｎｇ　ｍａｃｈｉｎｅｓ；ｄｒｉｖｉｎｇ　ｍｏｔｏｒｓ　ｏｔｈｅｒ　ｔｈａｎ　ｆｏｒ　ｖｅｈｉｃｌｅｓ；ＤＣ　ｇｅｎｅｒａｔｏｒｓ；ａｌｔｅｒｎａｔｏｒｓ；ｒｏｂｏｔｓ（ｍａｃｈｉｎｅｓ）；ｃｕｒｒｅｎｔ　ｇｅｎｅｒａｔｏｒｓ　ａｎｄ　ｍｏｔｏｒｓ　ｏｔｈｅｒ　ｔｈａｎ　ｆｏｒ　ｖｅｈｉｃｌｅｓ；ｐｌａｓｔｉｃ　ａｎｄ　ｒｕｂｂｅｒ　ｐｒｏｃｅｓｓｉｎｇ　ａｐｐａｒａｔｕｓ　ａｎｄ　ｍａｃｈｉｎｅｓ；ｅｌｅｃｔｒｉｃ　ｈａｎｄ　ｄｒｉｌｌｓ；ｅｌｅｃｔｒｉｃ　ｃｕｔｔｅｒｓ（ｍａｃｈｉｎｅｓ）；ｅｌｅｃｔｒｉｃ　ｇｒｉｎｄｅｒｓ　ｆｏｒ　ｈｏｕｓｅｈｏｌｄ　ｐｕｒｐｏｓｅｓ；ｅｌｅｃｔｒｉｃ　ｊｉｇ　ｓａｗｓ；ａｅｒａｔｉｎｇ　ｐｕｍｐｓ　ｆｏｒ　ａｑｕａｒｉａ；ｓｔａｍｐｉｎｇ　ｍａｃｈｉｎｅｓ　ａｎｄ　ａｄｈｅｓｉｖｅ　ｔａｐｅ　ｄｉｓｐｅｎｓｅｒｓ（ｍａｃｈｉｎｅｓ）；ｌａｗｎｍｏｗｅｒ　ｍａｃｈｉｎｅｓ；ｐｎｅｕｍａｔｉｃ　ｄｏｏｒ　ｏｐｅｎｅｒｓ　ａｎｄ　ｃｌｏｓｅｒｓ（ｐａｒｔｓ　ｏｆ　ｍａｃｈｉｎｅｓ）；ｌｏａｄｉｎｇ−ｕｎｌｏａｄｉｎｇ　ｍａｃｈｉｎｅｓ　ａｎｄ　ｉｍｐｌｅｍｅｎｔｓ；ｃｏｎｓｔｒｕｃｔｉｏｎ　ｍａｃｈｉｎｅｓ　ａｎｄ　ａｐｐａｒａｔｕｓ；ｎｏｎ−ｅｌｅｃｔｒｉｃ　ｐｒｉｍｅ　ｍｏｖｅｒｓ（ｎｏｔ　ｆｏｒ　ｌａｎｄ　ｖｅｈｉｃｌｅｓ）；ｐｏｗｅｒ　ｔｒａｎｓｍｉｓｓｉｏｎｓ　ａｎｄ　ｇｅａｒｉｎｇ　ｆｏｒ　ｍａｃｈｉｎｅｓ（ｎｏｔ　ｆｏｒ　ｌａｎｄ　ｖｅｈｉｃｌｅｓ）；ｍａｃｈｉｎｅ　ｅｌｅｍｅｎｔｓ（ｎｏｔ　ｆｏｒ　ｌａｎｄ　ｖｅｈｉｃｌｅｓ）；ｓｔｏｎｅｗｏｒｋｉｎｇ　ａｎｄ　ｃｏｎｓｔｒｕｃｔｉｎｇ　ｍａｃｈｉｎｅｓ　ａｎｄ　ａｐｐａｒａｔｕｓ；ａｐｐａｒａｔｕｓ　ａｎｄ　ｍａｃｈｉｎｅｓ　ｆｏｒ　ａｇｒｉｃｕｌｔｕｒａｌ　ｐｕｒｐｏｓｅ　ａｎｄ　ｌｉｖｅｓｔｏｃｋ；ｐｌｏｗｓ　ａｎｄ　ｐｌｏｕｇｈｓ；ｍｉｌｋｉｎｇ　ｍａｃｈｉｎｅｓ　ａｎｄ　ｔｏｏｌｓ；ｉｎｃｕｂａｔｏｒｓ　ｆｏｒ　ｅｇｇｓ；ｆｏｏｄ　ｐｒｏｃｅｓｓｉｎｇ　ｍａｃｈｉｎｅｓ　ａｎｄ　ａｐｐａｒａｔｕｓ；ｂｅｖｅｒａｇｅ　ｐｒｏｃｅｓｓｉｎｇ　ｍａｃｈｉｎｅｓ　ａｎｄ　ａｐｐａｒａｔｕｓ；ｌｕｍｂｅｒｉｎｇ　ｍａｃｈｉｎｅｓ　ａｎｄ　ａｐｐａｒａｔｕｓ；ｗｏｏｄｗｏｒｋｉｎｇ　ｍａｃｈｉｎｅｓ　ａｎｄ　ａｐｐａｒａｔｕｓ；ｐｕｌｐ　ｍａｋｉｎｇ　ｍａｃｈｉｎｅｓ　ａｎｄ　ａｐｐａｒａｔｕｓ；ｐａｐｅｒ−ｍａｋｉｎｇ　ｍａｃｈｉｎｅｓ　ａｎｄ　ａｐｐａｒａｔｕｓ；ｐｒｉｎｔｉｎｇ　ｍａｃｈｉｎｅｓ　ａｎｄ　ａｐｐａｒａｔｕｓ；ｂｏｏｋｂｉｎｄｉｎｇ　ｍａｃｈｉｎｅｓ　ａｎｄ　ａｐｐａｒａｔｕｓ；ｓｅｗｉｎｇ　ｍａｃｈｉｎｅｓ，ｌｅａｔｈｅｒ　ｔａｎｎｉｎｇ　ｍａｃｈｉｎｅｓ；ｔｏｂａｃｃｏ　ｐｒｏｃｅｓｓｉｎｇ　ｍａｃｈｉｎｅｓ；ｇｌａｓｓｗａｒｅ　ｍａｎｕｆａｃｔｕｒｉｎｇ　ｍａｃｈｉｎｅｓ　ａｎｄ　ａｐｐａｒａｔｕｓ；ｐａｉｎｔｉｎｇ　ｍａｃｈｉｎｅｓ　ａｎｄ　ａｐｐａｒａｔｕｓ；ｐａｃｋａｇｉｎｇ　ａｎｄ　ｗｒａｐｐｉｎｇ　ｍａｃｈｉｎｅｓ　ａｎｄ　ａｐｐａｒａｔｕｓ；ｐｒｉｍｅ　ｍｏｖｅｒｓ　ｏｔｈｅｒ　ｔｈａｎ　ｆｏｒ　ｖｅｈｉｃｌｅｓ；ｐｎｅｕｍａｔｉｃ　ｏｒ　ｈｙｄｒａｕｌｉｃ　ｍａｃｈｉｎｅｓ　ａｎｄ　ｉｎｓｔｒｕｍｅｎｔｓ；ｐｏｗｅｒ　ｔｒａｎｓｍｉｓｓｉｏｎ　ａｎｄ　ｇｅａｒｉｎｇ　ｆｏｒ　ｍａｃｈｉｎｅｓ　ｏｔｈｅｒ　ｔｈａｎ　ｆｏｒ　ｖｅｈｉｃｌｅｓ；ｓｈｏｃｋ　ａｂｓｏｒｂｅｒｓ（ｍａｃｈｉｎｅ　ｅｌｅｍｅｎｔｓ　ｎｏｔ　ｆｏｒ　ｖｅｈｉｃｌｅｓ）；ｂｒａｋｅｓ（ｍａｃｈｉｎｅ　ｅｌｅｍｅｎｔｓ　ｎｏｔ　ｆｏｒ　ｌａｎｄ　ｖｅｈｉｃｌｅｓ）；ｗａｔｅｒ　ｍｉｌｌｓ　ａｎｄ　ｗｉｎｄ　ｍｉｌｌｓ；ｗａｓｈｉｎｇ　ｍａｃｈｉｎｅｓ　ａｎｄ　ａｐｐａｒａｔｕｓ；ｍｅｃｈａｎｉｃａｌ　ｐａｒｋｉｎｇ　ｓｙｓｔｅｍｓ；ｐｌａｓｔｉｃ　ａｎｄ　ｒｕｂｂｅｒ　ｐｒｏｃｅｓｓｉｎｇ　ａｐｐａｒａｔｕｓ　ａｎｄ　ｍａｃｈｉｎｅｓ；ｃｕｒｒｅｎｔ　ｇｅｎｅｒａｔｏｒｓ　ａｎｄ　ｍｏｔｏｒｓ　ｏｔｈｅｒ　ｔｈａｎ　ｆｏｒ　ｖｅｈｉｃｌｅｓ；ｄｏｍｅｓｔｉｃ　ｃｒｕｓｈｅｒｓ／ｇｒｉｎｄｅｒｓ，ｅｌｅｃｔｒｉｃ；ｃａｒｂｏｎ　ｂｒｕｓｈｅｓ（ｅｌｅｃｔｒｉｃｉｔｙ）；ｓｅｒｉｃｉｃｕｌｔｕｒａｌ　ｍａｃｈｉｎｅｓ　ａｎｄ　ｉｍｐｌｅｍｅｎｔｓ；ｌｕｂｒｉｃａｔｉｎｇ　ｐｕｍｐｓ（ｐａｒｔｓ　ｏｆ　ｍａｃｈｉｎｅｓ）ｆｏｒ　ｅｎｇｉｎｅｓ（ｅｘｃｅｐｔ　ｆｏｒ　ｌａｎｄ　ｖｅｈｉｃｌｅｓ）．」、第９類「Ｎａｕｔｉｃａｌ，ｓｕｒｖｅｙｉｎｇ，ｐｈｏｔｏｇｒａｐｈｉｃ，ｃｉｎｅｍａｔｏｇｒａｐｈｉｃ，ｏｐｔｉｃａｌ　ａｎｄ　ｗｅｉｇｈｉｎｇ　ａｐｐａｒａｔｕｓ　ａｎｄ　ｉｎｓｔｒｕｍｅｎｔｓ；ｅｌｅｃｔｒｉｃ　ｒｅｇｕｌａｔｉｎｇ　ａｐｐａｒａｔｕｓ；ｍｅａｓｕｒｉｎｇ　ａｐｐａｒａｔｕｓ；ｌｕｍｉｎｏｕｓ　ｏｒ　ｍｅｃｈａｎｉｃａｌ　ｓｉｇｎａｌｓ；ｅｌｅｃｔｒｉｃ　ｍｏｎｉｔｏｒｉｎｇ　ａｐｐａｒａｔｕｓ；ｌｉｆｅ−ｓａｖｉｎｇ　ａｐｐａｒａｔｕｓ　ａｎｄ　ｅｑｕｉｐｍｅｎｔｓ；ｔｅａｃｈｉｎｇ　ａｐｐａｒａｔｕｓ；ａｐｐａｒａｔｕｓ　ａｎｄ　ｉｎｓｔｒｕｍｅｎｔｓ　ｆｏｒ　ｃｏｎｄｕｃｔｉｎｇ，ｓｗｉｔｃｈｉｎｇ，ｔｒａｎｓｆｏｒｍｉｎｇ，ａｃｃｕｍｕｌａｔｉｎｇ，ｒｅｇｕｌａｔｉｎｇ　ｏｒ　ｃｏｎｔｒｏｌｌｉｎｇ　ｅｌｅｃｔｒｉｃｉｔｙ；ａｐｐａｒａｔｕｓ　ｆｏｒ　ｒｅｃｏｒｄｉｎｇ，ｔｒａｎｓｍｉｓｓｉｏｎ　ｏｒ　ｒｅｐｒｏｄｕｃｔｉｏｎ　ｏｆ　ｓｏｕｎｄ　ｏｒ　ｉｍａｇｅｓ；ｍａｇｎｅｔｉｃ　ｄａｔａ　ｃａｒｒｉｅｒｓ，ｒｅｃｏｒｄｉｎｇ　ｄｉｓｃｓ；ａｕｔｏｍａｔｉｃ　ｖｅｎｄｉｎｇ　ｍａｃｈｉｎｅｓ　ａｎｄ　ｍｅｃｈａｎｉｓｍｓ　ｆｏｒ　ｃｏｉｎ−ｏｐｅｒａｔｅｄ　ａｐｐａｒａｔｕｓ；ｃａｓｈ　ｒｅｇｉｓｔｅｒｓ，ｃａｌｃｕｌａｔｉｎｇ　ｍａｃｈｉｎｅｓ，ｄａｔａ　ｐｒｏｃｅｓｓｉｎｇ　ｅｑｕｉｐｍｅｎｔ　ａｎｄ　ｃｏｍｐｕｔｅｒｓ；ｆｉｒｅ−ｅｘｔｉｎｇｕｉｓｈｉｎｇ　ａｐｐａｒａｔｕｓ；ｌｅａｄ　ｆｒａｍｅｓ　ｆｏｒ　ｓｅｍｉｃｏｎｄｕｃｔｏｒｓ；ｒｅｃｈａｒｇｅａｂｌｅ　ｂａｔｔｅｒｉｅｓ；ａｎｏｄｅ　ｍａｔｅｒｉａｌｓ　ｆｏｒ　ｒｅｃｈａｒｇｅａｂｌｅ　ｂａｔｔｅｒｉｅｓ；ｃａｔｈｏｄｅ　ｍａｔｅｒｉａｌｓ　ｆｏｒ　ｒｅｃｈａｒｇｅａｂｌｅ　ｂａｔｔｅｒｉｅｓ；ｂａｃｋｌｉｇｈｔ　ｕｎｉｔｓ　ｆｏｒ　ＬＣＤ（ｌｉｑｕｉｄ　ｃｒｙｓｔａｌ　ｄｉｓｐｌａｙ）；ｒｅｐｅａｔｅｒｓ　ｆｏｒ　ｓａｔｅｌｌｉｔｅ　ｃｏｍｍｕｎｉｃａｔｉｏｎ；ｔｒａｎｓｍｉｔｔｅｒｓ　ｆｏｒ　ｗｉｒｅｌｅｓｓ　ｃｏｍｍｕｎｉｃａｔｉｏｎ；ｒｅｃｅｉｖｅｒｓ　ｆｏｒ　ｗｉｒｅｌｅｓｓ　ｃｏｍｍｕｎｉｃａｔｉｏｎ；ｓｉｇｎａｌ　ｃｏｎｖｅｒｔｅｒｓ　ｆｏｒ　ｗｉｒｅｌｅｓｓ　ｃｏｍｍｕｎｉｃａｔｉｏｎ；ａｍｐｌｉｆｉｅｒｓ　ｆｏｒ　ｗｉｒｅｌｅｓｓ　ｃｏｍｍｕｎｉｃａｔｉｏｎ；ｗｉｒｅｌｅｓｓ　ｃｏｍｍｕｎｉｃａｔｉｏｎ　ｍｏｄｕｌｅｓ；ｏｐｔｉｃａｌ　ｆｉｂｅｒｓ；ｏｐｔｉｃａｌ　ｉｎｔｅｇｒａｔｅｄ　ｃｉｒｃｕｉｔｓ；ｌａｓｅｒ　ｄｉｏｄｅｓ；ｐｈｏｔｏｄｉｏｄｅｓ；ｏｐｔｉｃａｌ　ａｍｐｌｉｆｉｅｒｓ；ｏｐｔｉｃａｌ　ａｔｔｅｎｕａｔｏｒｓ；ｏｐｔｉｃａｌ　ｃｏｎｎｅｃｔｏｒｓ；ｏｐｔｉｃａｌ　ｍｕｌｔｉｐｌｅｘｅｒｓ；ｏｐｔｉｃａｌ　ｄｅｍｕｌｔｉｐｌｅｘｅｒｓ；ｏｐｔｉｃａｌ　ｓｅｎｓｏｒｓ；ｏｐｔｉｃａｌ　ｔｒａｎｓｍｉｔｔｅｒ　ａｎｄ　ｒｅｃｅｉｖｅｒ　ｍｏｄｕｌｅｓ；ｏｐｔｉｃａｌ　ｆｉｌｔｅｒｓ；ＬＣＤ’ｓ；ＬＣＤ　ｍｏｄｕｌｅｓ；ＬＣＤ’ｓ　ｆｏｒ　ｃｏｍｐｕｔｅｒ　ｍｏｎｉｔｏｒｓ；ＬＣＤ’ｓ　ｆｏｒ　ｔｅｌｅｖｉｓｉｏｎ　ｍｏｎｉｔｏｒｓ；ＬＣＤ’ｓ　ｆｏｒ　ｃｅｌｌｕｌａｒ　ｔｅｌｅｐｈｏｎｅｓ；ＬＣＤ’ｓ　ｆｏｒ　ＰＤＡ（ｐｅｒｓｏｎａｌ　ｄｉｇｉｔａｌ　ａｓｓｉｓｔａｎｔｓ）；ｃｈａｒｇｅｒｓ　ｆｏｒ　ｃｅｌｌｕｌａｒ　ｔｅｌｅｐｈｏｎｅｓ；ｃｅｌｌｕｌａｒ　ｔｅｌｅｐｈｏｎｅｓ；ｓｔｏｒａｇｅ　ｂａｔｔｅｒｉｅｓ　ｆｏｒ　ｃｅｌｌｕｌａｒ　ｔｅｌｅｐｈｏｎｅｓ；ｄｉｇｉｔａｌ　ｔｅｌｅｖｉｓｉｏｎｓ；ｄｉｇｉｔａｌ　ｃａｍｅｒａｓ；ＲＦ−ＩＤ（ｒａｄｉｏ　ｆｒｅｑｕｅｎｃｙ　ｉｄｅｎｔｉｆｉｃａｔｉｏｎ）ｅｑｕｉｐｍｅｎｔ；ｒａｄｉｏ　ｆｒｅｑｕｅｎｃｙ　ｉｄｅｎｔｉｆｉｃａｔｉｏｎ　ｓｙｓｔｅｍ；ａｎｔｅｎｎａｓ　ｆｏｒ　ＲＦＩＤ　ｓｙｓｔｅｍ；ｃｏｍｐｕｔｅｒ　ｓｏｆｔｗａｒｅ　ｆｏｒ　ＲＦＩＤ　ｓｙｓｔｅｍ；ＲＦ−ＩＤ　ｒｅａｄｅｒｓ；ＲＦ−ＩＤ　ｔａｇｓ；ｆｕｅｌ　ｃｅｌｌｓ；ｅｌｅｃｔｒｏｎｉｃ　ｐｕｂｌｉｃａｔｉｏｎｓ；ｅｌｅｃｔｒｏｎｉｃ　ｂｏｏｋｓ；ｗｉｒｅｌｅｓｓ　ｃｈａｒｇｅｒｓ；ｓｔｏｒａｇｅ　ｂａｔｔｅｒｉｅｓ　ｆｏｒ　ｗｉｒｅｌｅｓｓ　ｃｈａｒｇｅｒｓ；ｄｉｓｔｒｉｂｕｔｉｏｎ　ｂｏｘｅｓ（ｅｌｅｃｔｒｉｃｉｔｙ）；ｂｒａｎｃｈ　ｂｏｘｅｓ（ｅｌｅｃｔｒｉｃｉｔｙ）；ｔｒａｎｓｆｏｒｍｅｒｓ（ｅｌｅｃｔｒｉｃｉｔｙ）；ｃｕｒｒｅｎｔ　ｌｉｍｉｔｅｒｓ；ｅｌｅｃｔｒｉｃ　ｃｕｒｒｅｎｔ　ｃｏｎｔｒｏｌ　ｄｅｖｉｃｅｓ；ｃｏｎｎｅｃｔｏｒｓ　ｆｏｒ　ｅｌｅｃｔｒｉｃ　ｌｉｎｅｓ；ｄｒｙ　ｃｅｌｌｓ（ｂａｔｔｅｒｉｅｓ）；ｃｏｎｄｅｎｓｅｒｓ（ｃａｐａｃｉｔｏｒｓ）；ｅｌｅｃｔｒｉｃ　ｂａｔｔｅｒｉｅｓ；ｓｔｏｒａｇｅ　ｂａｔｔｅｒｙ　ｃｈａｒｇｅｒｓ；ｃｈａｒｇｅｒｓ　ｆｏｒ　ｅｌｅｃｔｒｉｃ　ｂａｔｔｅｒｉｅｓ；ｃｕｒｒｅｎｔ　ｒｅｃｔｉｆｉｅｒｓ；ｃｉｒｃｕｉｔ　ｃｌｏｓｅｒｓ；ｂａｔｔｅｒｉｅｓ　ａｎｄ　ｃｅｌｌｓ；ｅｌｅｃｔｒｉｃ　ｏｒ　ｍａｇｎｅｔｉｃ　ｍｅｔｅｒｓ　ａｎｄ　ｔｅｓｔｅｒｓ，ｅｌｅｃｔｒｉｃ　ｗｉｒｅｓ　ａｎｄ　ｃａｂｌｅｓ；ｗａｔｔ　ｍｅｔｅｒｓ；ｗａｖｅ　ｍｅｔｅｒｓ；ｃａｂｌｅｓ（ｆｉｂｒｅ　ｏｐｔｉｃ）；ｎｏｎ−ｉｎｓｕｌａｔｅｄ　ｗｉｒｅｓ；ｐｏｗｅｒ　ｃａｂｌｅｓ；ｃｏａｘｉａｌ　ｃａｂｌｅｓ；ｅｌｅｃｔｒｉｃ　ｃａｂｌｅｓ，ｅｌｅｃｔｒｉｃ　ｗｉｒｅｓ　ｄｕｃｔｓ（ｅｌｅｃｔｒｉｃｉｔｙ）；ｊｕｎｃｔｉｏｎ　ｓｌｅｅｖｅｓ　ｆｏｒ　ｅｌｅｃｔｒｉｃ　ｃａｂｌｅｓ；ｊｕｎｃｔｉｏｎ　ｂｏｘｅｓ（ｅｌｅｃｔｒｉｃｉｔｙ）；ｔｅｒｍｉｎａｌ　ｂｏｘｅｓ；ｔｅｌｅｃｏｍｍｕｎｉｃａｔｉｏｎｓ　ｃａｂｌｅｓ；ｃｏｖｅｒｅｄ　ｗｉｒｅｓ；ｔｅｌｅｃｏｍｍｕｎｉｃａｔｉｏｎ　ｍａｃｈｉｎｅｓ　ａｎｄ　ｉｍｐｌｅｍｅｎｔｓ；ｐｏｒｔａｂｌｅ　ｃｏｍｍｕｎｉｃａｔｉｏｎ　ａｐｐａｒａｔｕｓ；ｅｌｅｃｔｒｏｎｉｃ　ｔｅｌｅｃｏｍｍｕｎｉｃａｔｉｏｎ　ａｐｐａｒａｔｕｓ　ａｎｄ　ｔｈｅｉｒ　ｐａｒｔｓ；ｅｌｅｃｔｒｏｎｉｃ　ｍａｃｈｉｎｅ　ａｐｐａｒａｔｕｓ　ａｎｄ　ｔｈｅｉｒ　ｐａｒｔｓ；ｐｒｉｎｔｅｄ　ｃｉｒｃｕｉｔ　ｂｏａｒｄｓ；ｐｌｕｇｓ；ｓｏｃｋｅｔｓ；ｅｌｅｃｔｒｏｎｉｃ　ｂｏｏｋｓ（ｄｏｗｎｌｏａｄａｂｌｅ）；ｅｌｅｃｔｒｏｎｉｃ　ｎｅｗｓｐａｐｅｒｓ（ｄｏｗｎｌｏａｄａｂｌｅ）；ｅｌｅｃｔｒｏｎｉｃ　ｓｔｕｄｙ　ｂｏｏｋｓ（ｄｏｗｎｌｏａｄａｂｌｅ）；ｅｌｅｃｔｒｏｎｉｃ　ｔｒａｆｆｉｃ　ｃｏｎｔｒｏｌ　ｓｉｇｎａｌ　ｓｙｓｔｅｍｓ，ｍａｇｎｅｔｉｃ　ｓｗｉｔｃｈｅｓ；ｃｉｒｃｕｉｔ　ｂｒｅａｋｅｒｓ；ｍａｎｕａｌ　ｍｏｔｏｒ　ｓｔａｒｔｅｒｓ；ｍａｇｎｅｔｉｃ　ｃｏｎｔａｃｔｏｒｓ；ｅｌｅｃｔｒｏｎｉｃ　ｍｏｔｏｒ　ｐｒｏｔｅｃｔｉｏｎ　ｒｅｌａｙｓ；ｐｏｗｅｒ　ｄｉｓｔｒｉｂｕｔｉｏｎ　ｂｏａｒｄｓ（ｅｌｅｃｔｒｉｃｉｔｙ）；ｍｏｌｄ　ｃａｓｅｄ　ｔｒａｎｓｆｏｒｍｅｒｓ；ｗａｔｔ　ｈｏｕｒ　ｍｅｔｅｒｓ；ｐｒｏｇｒａｍｍａｂｌｅ　ｌｏｇｉｃ　ｃｏｎｔｒｏｌｌｅｒ；ｉｎｔｅｒｆａｃｅｓ　ｆｏｒ　ｃｏｍｐｕｔｅｒｓ；ｉｎｖｅｒｔｅｒｓ；ｒａｄｉｏ　ｆｒｅｑｕｅｎｃｙ　ｉｄｅｎｔｉｆｉｃａｔｉｏｎ　ｓｙｓｔｅｍｓ；ｓｏｌａｒ　ｃｅｌｌｓ；ｔｒａｆｆｉｃ　ｃｏｎｔｒｏｌ　ｓｉｇｎａｌ　ｓｙｓｔｅｍｓ　ｆｏｒ　ｒａｉｌｗａｙ；ｃｏｏｌｉｎｇ　ｂｏａｒｄ　ｆｏｒ　ｃｏｍｐｕｔｅｒ；ｈｅａｔ　ｓｉｎｋｓ　ｆｏｒ　ｃｏｍｐｕｔｅｒ，ｃｏｏｌｉｎｇ　ｂｏａｒｄ　ｆｏｒ　ｌａｐｔｏｐ　ｃｏｍｐｕｔｅｒ，ｈｅａｔ　ｓｉｎｋｓ　ｆｏｒ　ｌａｐｔｏｐ　ｃｏｍｐｕｔｅｒ，ｃｏｏｌｉｎｇ　ｂｏａｒｄ　ｆｏｒ　ｔｅｌｅｃｏｍｍｕｎｉｃａｔｉｏｎ　ａｐｐａｒａｔｕｓ，ｈｅａｔ　ｓｉｎｋｓ　ｆｏｒ　ｔｅｌｅｃｏｍｍｕｎｉｃａｔｉｏｎ　ａｐｐａｒａｔｕｓ；ｄｏｓａｇｅ　ｄｉｓｐｅｎｓｅｒｓ；ｐｒｏｃｅｓｓｅｄ　ｇｌａｓｓ（ｎｏｔ　ｆｏｒ　ｂｕｉｌｄｉｎｇｓ）；ｓｌｉｄｅ　ｒｕｌｅｓ　ａｎｄ　ａｂａｃｕｓｅｓ；ｅｌｅｃｔｒｉｃ　ｌｏｃｋｓ；ｍｅａｓｕｒｉｎｇ　ａｐｐａｒａｔｕｓ　ｆｏｒ　ｃａｒｐｅｎｔｅｒｓ；ｐｈｙｓｉｃａｌ　ａｎｄ　ｃｈｅｍｉｃａｌ　ｌａｂｏｒａｔｏｒｙ　ｍａｃｈｉｎｅｓ　ａｎｄ　ａｐｐａｒａｔｕｓ；ｏｐｔｉｃａｌ　ｍａｃｈｉｎｅｓ　ａｎｄ　ａｐｐａｒａｔｕｓ；ｐｈｏｔｏｇｒａｐｈｉｃ　ｍａｃｈｉｎｅｓ　ａｎｄ　ａｐｐａｒａｔｕｓ；ｃｉｎｅｍａｔｏｇｒａｐｈｉｃ　ｍａｃｈｉｎｅｓ　ａｎｄ　ａｐｐａｒａｔｕｓ；ｍｅａｓｕｒｉｎｇ　ｏｒ　ｔｅｓｔｉｎｇ　ｍａｃｈｉｎｅｓ　ａｎｄ　ａｐｐａｒａｔｕｓ；ｇｌａｓｓｅｓ　ａｎｄ　ｔｈｅｉｒ　ｐａｒｔｓ　ａｎｄ　ａｃｃｅｓｓｏｒｉｅｓ；ｐｕｎｃｈｅｄ　ｃａｒｄ　ｍａｃｈｉｎｅｓ　ｆｏｒ　ｏｆｆｉｃｅｓ；ｖｅｎｄｉｎｇ　ｍａｃｈｉｎｅｓ（ｏｔｈｅｒ　ｔｈａｎ　ｅｌｅｃｔｒｉｃ　ｏｒ　ｅｌｅｃｔｒｏｎｉｃ）；ｌｉｆｅ　ｓａｖｉｎｇ　ａｐｐａｒａｔｕｓ　ａｎｄ　ｅｑｕｉｐｍｅｎｔ（ｅｘｃｅｐｔ　ｐａｒａｃｈｕｔｅｓ）；ｆｉｒｅ　ｅｘｔｉｎｇｕｉｓｈｅｒｓ；ｆｉｒｅ　ａｎｄ　ｂｕｒｇｌａｒ　ａｌａｒｍｓ；ｌｉｇｈｔ−ｅｍｉｔｔｉｎｇ　ｏｒ　ｍｅｃｈａｎｉｃａｌ　ｔｒａｆｆｉｃ　ｓｉｇｎａｌｓ；ｄｉｖｉｎｇ　ｍａｃｈｉｎｅｓ　ａｎｄ　ａｐｐａｒａｔｕｓ；ａｒｃａｄｅ　ｖｉｄｅｏ　ｇａｍｅ　ｍａｃｈｉｎｅｓ；ｅｌｅｃｔｒｉｃａｌｌｙ　ｏｐｅｒａｔｅｄ　ａｕｔｏｍａｔｉｃ　ｄｏｏｒ　ｏｐｅｎｅｒｓ　ａｎｄ　ｃｌｏｓｅｒｓ；ｌｉｆｅ　ｂｏａｔ　ａｎｄ　ｆｉｒｅ　ｂｏａｔｓ；ｓａｔｅｌｌｉｔｅｓ；ｍｏｔｏｒ　ｆｉｒｅ　ｅｎｇｉｎｅｓ；ｃｉｇａｒ　ｌｉｇｈｔｅｒｓ　ｆｏｒ　ａｕｔｏｍｏｂｉｌｅ；ｅｌｅｃｔｒｏｎｉｃ　ｗｅｌｄｉｎｇ　ｍａｃｈｉｎｅｓ；ａｒｃ　ｗｅｌｄｉｎｇ　ａｐｐａｒａｔｕｓ；ｅｌｅｃｔｒｉｃ　ｗｅｌｄｉｎｇ　ａｐｐａｒａｔｕｓ；ｅｌｅｃｔｒｉｆｉｅｄ　ｆｅｎｃｅｓ；ｅｇｇ−ｃａｎｄｌｅｒｓ；ｒｏｔａｒｙ　ｃｏｎｖｅｒｔｅｒｓ；ｐｏｗｅｒ　ｄｉｓｔｒｉｂｕｔｉｏｎ　ｏｒ　ｃｏｎｔｒｏｌｌｉｎｇ　ｍａｃｈｉｎｅｓ　ａｎｄ　ａｐｐａｒａｔｕｓ；ｂａｔｔｅｒｉｅｓ　ａｎｄ　ｃｅｌｌｓ；ｅｌｅｃｔｒｉｃ　ｏｒ　ｍａｇｎｅｔｉｃ　ｍｅｔｅｒｓ　ａｎｄ　ｔｅｓｔｅｒｓ；ｅｌｅｃｔｒｉｃ　ｗｉｒｅｓ　ａｎｄ　ｃａｂｌｅｓ；ｈｏｕｓｅｈｏｌｄ　ｅｌｅｃｔｒｉｃ　ｍａｃｈｉｎｅｓ　ａｎｄ　ａｐｐａｒａｔｕｓ，ｎａｍｅｌｙ，ｅｌｅｃｔｒｉｃ　ｆｌａｔ　ｉｒｏｎｓ，ｅｌｅｃｔｒｉｃ　ｈａｉｒ　ｃｕｒｌｅｒｓ　ａｎｄ　ｅｌｅｃｔｒｉｃ　ｂｕｚｚｅｒｓ；ｔｅｌｅｃｏｍｍｕｎｉｃａｔｉｏｎ　ｍａｃｈｉｎｅｓ　ａｎｄ　ｉｍｐｌｅｍｅｎｔｓ；ｓｏｃｋｅｔｓ；ｍａｇｎｅｔｉｃ　ｃｏｒｅｓ；ｅｌｅｃｔｒｏｄｅｓ；ｌｉｇｈｔ　ｒｅｇｕｌａｔｏｒｓ（ｄｉｍｍｅｒｓ）（ｅｌｅｃｔｒｉｃ）；ｇｌｏｖｅｓ　ｆｏｒ　ｐｒｏｔｅｃｔｉｏｎ　ａｇａｉｎｓｔ　Ｘ−ｒａｙｓ　ｆｏｒ　ｉｎｄｕｓｔｒｉａｌ　ｕｓｅ；ｇｌｏｖｅｓ　ｆｏｒ　ｐｒｏｔｅｃｔｉｏｎ　ａｇａｉｎｓｔ　ａｃｃｉｄｅｎｔｓ；ｇｌｏｖｅｓ　ｆｏｒ　ｄｉｖｅｒｓ；ｐｒｏｔｅｃｔｉｖｅ　ｈｅｌｍｅｔｓ；ｐｒｏｔｅｃｔｉｏｎ　ｍａｓｋｓ；ｃｌｏｔｈｉｎｇ　ｆｏｒ　ｐｒｏｔｅｃｔｉｏｎ　ａｇａｉｎｓｔ　ｆｉｒｅ；ｄｉｖｉｎｇ　ｓｕｉｔｓ；ｍｕｓｉｃ　ｒｅｃｏｒｄｅｄ　ａｕｄｉｏｔａｐｅｓ　ａｎｄ　ｐａｒｔｓ　ｆｏｒ　ｒｅｃｏｒｄ　ｐｌａｙｅｒｓ；ｒｅｃｏｒｄｅｄ　ａｕｄｉｏｔａｐｅｓ　ｏｒ　ｖｉｄｅｏｔａｐｅｓ（ｎｏｔ　ｍｕｓｉｃ）ａｎｄ　ｍａｇｎｅｔｉｃ　ｃａｒｄｓ；ｅｘｐｏｓｅｄ　ｆｉｌｍｓ　ａｎｄ　ａｎｉｍａｔｅｄ　ｃａｒｔｏｏｎｓ；ｃｏｎｄｕｃｔｉｖｅ　ｆｉｌｍ　ｕｓｅｄ　ａｓ　ｐａｒｔｓ　ｏｆ　ｅｌｅｃｔｒｏｎｉｃ　ｐｒｏｄｕｃｔｓ，ｐａｒｔｉｃｕｌａｒｙ　ｌｉｑｕｉｄ　ｃｒｙｓｔａｌ　ｄｉｓｐｌａｙｓ［ＬＣＤ］，ｐｌａｓｍａ　ｄｉｓｐｌａｙ　ｐａｎｅｌｓ［ＰＤＰ］，ｏｒｇａｎｉｃ　ｅｌｅｃｔｒｏｌｕｍｉｎｅｓｃｅｎｃｅ　ｄｉｓｐｌａｙｓ［ＥＬ］，ｅｔｃ．」、第１２類「Ａｉｒｃｒａｆｔ；ａｕｔｏｍｏｂｉｌｅｓ；ｂｉｃｙｃｌｅｓ；ｍｏｔｏｒｃｙｃｌｅｓ；ｒｏｌｌｉｎｇ　ｓｔｏｃｋ　ｆｏｒ　ｒａｉｌｗａｙｓ；ｓｈｉｐｓ；ｒｕｂｂｅｒ　ｂｒａｋｅ　ｈｏｓｅｓ　ｆｏｒ　ｖｅｈｉｃｌｅｓ　ｓｕｃｈ　ａｓ　ｏｉｌ　ｐｒｅｓｓｕｒｅ　ｈｏｓｅｓ；ｔｕｂｅｓ　ｆｏｒ　ｖｅｈｉｃｌｅ　ｗｈｅｅｌ；ｔｒａｃｔｏｒｓ　ｆｏｒ　ａｇｒｉｃｕｌｔｕｒａｌ　ｐｕｒｐｏｓｅｓ；ｗｈｅｅｌｃｈａｉｒｓ；ｐａｒａｃｈｕｔｅｓ；ｍｏｔｏｒ　ｃａｒｓ　ｆｏｒ　ｔｒａｎｓｐｏｒｔ　ｏｎ　ｌａｎｄ；ｓｈｉｐｓ　ａｎｄ　ｔｈｅｉｒ　ｐａｒｔｓ　ａｎｄ　ａｃｃｅｓｓｏｒｉｅｓ（ｉｎｃｌｕｄｅｄ　ｉｎ　ｔｈｉｓ　ｃｌａｓｓ）（ｅｘｃｅｐｔ　ａｉｒ　ｃｕｓｈｉｏｎ　ｖｅｈｉｃｌｅｓ）；ａｉｒｃｒａｆｔ　ａｎｄ　ｔｈｅｉｒ　ｐａｒｔｓ　ａｎｄ　ａｃｃｅｓｓｏｒｉｅｓ；ｒａｉｌｗａｙ　ｖｅｈｉｃｌｅｓ　ａｎｄ　ｔｈｅｉｒ　ｐａｒｔｓ　ａｎｄ　ａｃｃｅｓｓｏｒｉｅｓ；ｍｏｔｏｒ　ｃａｒｓ　ａｎｄ　ｔｈｅｉｒ　ｐａｒｔｓ　ａｎｄ　ａｃｃｅｓｓｏｒｉｅｓ；ｂｉｃｙｃｌｅｓ　ａｎｄ　ｔｈｅｉｒ　ｐａｒｔｓ　ａｎｄ　ａｃｃｅｓｓｏｒｉｅｓ；ｔｉｒｅｓ　ａｎｄ　ｔｕｂｅｓ　ｆｏｒ　ｖｅｈｉｃｌｅ　ｗｈｅｅｌｓ；ｎｏｎ−ｅｌｅｃｔｒｉｃ　ｐｒｉｍｅ　ｍｏｖｅｒｓ　ｆｏｒ　ｌａｎｄ　ｖｅｈｉｃｌｅｓ（ｎｏｔ　ｉｎｃｌｕｄｉｎｇ　”ｔｈｅｉｒ　ｐａｒｔｓ”）；ｐｏｗｅｒ　ｔｒａｎｓｍｉｓｓｉｏｎｓ　ａｎｄ　ｇｅａｒｉｎｇ　ｆｏｒ　ｌａｎｄ　ｖｅｈｉｃｌｅｓ；ｓｈｏｃｋ　ａｂｓｏｒｂｅｒｓ　ｆｏｒ　ｖｅｈｉｃｌｅｓ；ｂｒａｋｅｓ　ｆｏｒ　ｖｅｈｉｃｌｅｓ；ｍｅｃｈａｎｉｃａｌ　ｅｌｅｍｅｎｔｓ　ｆｏｒ　ｌａｎｄ　ｖｅｈｉｃｌｅｓ；ｍｏｔｏｒｓ　ｆｏｒ　ｌａｎｄ　ｖｅｈｉｃｌｅｓ；ｔｒａｃｔｏｒｓ　ｆｏｒ　ａｇｒｉｃｕｌｔｕｒａｌ　ｐｕｒｐｏｓｅｓ；ｔｒａｃｋｓ　ｆｏｒ　ｔａｎｋｓ．」、第１４類「Ｐｒｅｃｉｏｕｓ　ｍｅｔａｌｓ　ａｎｄ　ｔｈｅｉｒ　ａｌｌｏｙｓ　ａｎｄ　ｇｏｏｄｓ　ｉｎ　ｐｒｅｃｉｏｕｓ　ｍｅｔａｌｓ　ｏｒ　ｃｏａｔｅｄ　ｔｈｅｒｅｗｉｔｈ，ｎｏｔ　ｉｎｃｌｕｄｅｄ　ｉｎ　ｏｔｈｅｒ　ｃｌａｓｓｅｓ；ｊｅｗｅｌｌｅｒｙ，ｐｒｅｃｉｏｕｓ　ｓｔｏｎｅｓ；ｈｏｒｏｌｏｇｉｃａｌ　ａｎｄ　ｃｈｒｏｎｏｍｅｔｒｉｃ　ｉｎｓｔｒｕｍｅｎｔｓ；ｇｏｌｄ　ｉｎｇｏｔｓ；ｓｉｌｖｅｒ　ｉｎｇｏｔｓ；ｐａｌｌａｄｉｕｍ；ｓｍｏｋｅｒｓ’　ａｒｔｉｃｌｅｓ　ｏｆ　ｐｒｅｃｉｏｕｓ　ｍｅｔａｌｓ；ｐｏｗｄｅｒ　ｃｏｍｐａｃｔｓ　ｏｆ　ｐｒｅｃｉｏｕｓ　ｍｅｔａｌ；ｏｒｉｇｉｎａｌ　ｊｅｗｅｌｓ；ｔａｂｌｅｗａｒｅ　ｏｆ　ｐｒｅｃｉｏｕｓ　ｍｅｔａｌ；ｋｉｔｃｈｅｎ　ｕｔｅｎｓｉｌｓ　ｏｆ　ｐｒｅｃｉｏｕｓ　ｍｅｔａｌ；ｃｏｍｍｅｍｏｒａｔｉｖｅ　ｓｈｉｅｌｄｓ　ｏｆ　ｐｒｅｃｉｏｕｓ　ｍｅｔａｌ；ｂｏｘｅｓ　ｏｆ　ｐｒｅｃｉｏｕｓ　ｍｅｔａｌ　ｆｏｒ　ｎｅｅｄｌｅｓ；ｐｕｒｓｅｓ　ｏｆ　ｐｒｅｃｉｏｕｓ　ｍｅｔａｌ；ｊｅｗｅｌ　ｃａｓｅｓ　ｏｆ　ｐｒｅｃｉｏｕｓ　ｍｅｔａｌ；ｖａｓｅｓ　ｏｆ　ｐｒｅｃｉｏｕｓ　ｍｅｔａｌ；ｓｈｏｅ　ｏｒｎａｍｅｎｔｓ　ｏｆ　ｐｒｅｃｉｏｕｓ　ｍｅｔａｌ；ｃａｎｄｅｌａｂｒａ（ｃａｎｄｌｅｓｔｉｃｋｓ）ｏｆ　ｐｒｅｃｉｏｕｓ　ｍｅｔａｌ；ｋｅｙ　ｈｏｌｄｅｒｓ（ｔｒｉｎｋｅｔｓ　ｏｒ　ｆｏｂｓ）；ｎｅｅｄｌｅｓ　ｏｆ　ｐｒｅｃｉｏｕｓ　ｍｅｔａｌ；ｗａｔｃｈｅｓ　ａｎｄ　ｔｈｅｉｒ　ｐａｒｔｓ；ｊｅｗｅｌｓ　ａｎｄ　ｔｈｅｉｒ　ｉｍｉｔａｔｉｏｎｓ；ｐｅｒｓｏｎａｌ　ｏｒｎａｍｅｎｔｓ　ｏｆ　ｐｒｅｃｉｏｕｓ　ｍｅｔａｌ　ａｎｄ　ｊｅｗｅｌｒｙ；ｃｕｆｆｌｉｎｋｓ；ｓｃｕｌｐｔｕｒｅｓ　ｏｆ　ｐｒｅｃｉｏｕｓ　ｍｅｔａｌ．」、第１９類「Ｂｕｉｌｄｉｎｇ　ｍａｔｅｒｉａｌｓ（ｎｏｎ−ｍｅｔａｌｌｉｃ）；ｎｏｎ−ｍｅｔａｌｌｉｃ　ｒｉｇｉｄ　ｐｉｐｅｓ　ｆｏｒ　ｂｕｉｌｄｉｎｇ；ａｓｐｈａｌｔ，ｐｉｔｃｈ　ａｎｄ　ｂｉｔｕｍｅｎ；ｎｏｎ−ｍｅｔａｌｌｉｃ　ｔｒａｎｓｐｏｒｔａｂｌｅ　ｂｕｉｌｄｉｎｇｓ；ｍｏｎｕｍｅｎｔｓ，ｎｏｔ　ｏｆ　ｍｅｔａｌ；ｓｔａｉｒｃａｓｅｓ，ｎｏｔ　ｏｆ　ｍｅｔａｌ；ｆｌｏｏｒｓ，ｎｏｔ　ｏｆ　ｍｅｔａｌ；ｆｌｏｏｒｂｏａｒｄｓ，ｎｏｔ　ｏｆ　ｍｅｔａｌ；ｒｕｂｂｅｒ　ｔｉｌｅｓ；ｐｌａｓｔｉｃ　ｔｉｌｅｓ；ｔａｒ；ｐｉｔｃｈ；ｎｏｎ−ｍｅｔａｌｌｉｃ　ｍｉｎｅｒａｌｓ　ｆｏｒ　ｂｕｉｌｄｉｎｇ　ｏｒ　ｃｏｎｓｔｒｕｃｔｉｏｎ；ｂｕｉｌｄｉｎｇ　ｇｌａｓｓ；ａｑｕａｒｉａ（ｓｔｒｕｃｔｕｒｅｓ）；ｂｉｒｄ　ｂｒｅｅｄｉｎｇ　ｅｎｃｌｏｓｕｒｅｓ，ｎｏｔ　ｏｆ　ｍｅｔａｌ；ｂｉｒｄ　ｂａｔｈｓ，ｎｏｔ　ｏｆ　ｍｅｔａｌ（ｓｔｒｕｃｔｕｒｅｓ）；ｂｕｉｌｄｉｎｇ　ｔｉｍｂｅｒ；ｇｒａｖｅｓｔｏｎｅｓ　ａｎｄ　ｔｏｍｂ　ｐｌａｑｕｅｓ（ｎｏｔ　ｏｆ　ｍｅｔａｌ）；ｃｅｍｅｎｔ；ｂｕｉｌｄｉｎｇ　ｓｔｏｎｅ；ｎｏｎ−ｍｅｔａｌ　ｍａｔｅｒｉａｌｓ　ｆｏｒ　ｂｕｉｌｄｉｎｇｓ　ｏｒ　ｃｏｎｓｔｒｕｃｔｉｏｎ；ｔｉｌｅｓ　ｆｏｒ　ｂｕｉｌｄｉｎｇｓ，ｎｏｔ　ｏｆ　ｍｅｔａｌ；ａｓｐｈａｌｔ　ａｎｄ　ｏｔｈｅｒ　ｂｕｉｌｄｉｎｇ　ｍａｔｅｒｉａｌｓ，ｎｏｔ　ｏｆ　ｍｅｔａｌ；ｒａｉｌｗａｙ　ｓｌｅｅｐｅｒｓ，ｎｏｔ　ｏｆ　ｍｅｔａｌ；ｔｒａｆｆｉｃ　ｓｉｇｎｓ　ｎｏｔ　ｏｆ　ｍｅｔａｌ（ｅｘｃｅｐｔ　ｌｉｇｈｔ−ｅｍｉｔｔｉｎｇ　ｏｒ　ｍｅｃｈａｎｉｃａｌ）；ｍａｓｔｓ（ｐｏｌｅｓ），ｎｏｔ　ｏｆ　ｍｅｔａｌ；ａｒｔｉｆｉｃｉａｌ　ｆｉｓｈ　ｒｅｅｆｓ，ｎｏｔ　ｏｆ　ｍｅｔａｌ；ｐａｉｎｔ　ｓｐｒａｙｉｎｇ　ｂｏｏｔｈｓ，ｎｏｔ　ｏｆ　ｍｅｔａｌ；ｗａｔｅｒ　ｏｕｔｌｅｔ　ｖａｌｖｅｓ（ｎｏｔ　ｏｆ　ｍｅｔａｌ　ｏｒ　ｐｌａｓｔｉｃ）ｆｏｒ　ｗａｔｅｒ　ｐｉｐｅｓ；ｄｉｖｉｎｇ　ｂｏａｒｄｓ，ｎｏｔ　ｏｆ　ｍｅｔａｌ；ｉｎｓｅｃｔ　ｓｃｒｅｅｎｓ　ｎｏｔ　ｏｆ　ｍｅｔａｌ；ｓｃｕｌｐｔｕｒｅｓ　ｏｆ　ｓｔｏｎｅ；ｓｃｕｌｐｔｕｒｅｓ　ｏｆ　ｃｏｎｃｒｅｔｅ　ｏｒ　ｍａｒｂｌｅ．」及び第３８類「Ｔｅｌｅｃｏｍｍｕｎｉｃａｔｉｏｎｓ；ｃｏｍｍｕｎｉｃａｔｉｏｎ　ｂｙ　ｆｉｂｅｒ（ｆｉｂｒｅ）ｏｐｔｉｃ　ｎｅｔｗｏｒｋ；ｄａｔａ　ｃｏｍｍｕｎｉｃａｔｉｏｎｓ；ｂｒｏａｄｃａｓｔｉｎｇ　ｓｅｒｖｉｃｅｓ；ｃｏｍｍｕｎｉｃａｔｉｏｎｓ　ｂｙ　ｆｉｂｅｒ（ｆｉｂｒｅ）ｏｐｔｉｃ　ｎｅｔｗｏｒｋｓ；ｄａｔａ　ｃｏｍｍｕｎｉｃａｔｉｏｎ；ｐａｇｉｎｇ　ｓｅｒｖｉｃｅｓ（ｒａｄｉｏ，ｔｅｌｅｐｈｏｎｅ　ｏｒ　ｏｔｈｅｒ　ｍｅａｎｓ　ｏｆ　ｅｌｅｃｔｒｏｎｉｃ　ｃｏｍｍｕｎｉｃａｔｉｏｎ）；ｒｅｎｔａｌ　ｏｆ　ｍｏｄｅｍｓ；ｗｉｒｅｌｅｓｓ　ｃｏｍｍｕｎｉｃａｔｉｏｎ；ＶＡＮ（Ｖａｌｕｅ　Ａｄｄｅｄ　Ｎｅｔｗｏｒｋ）ｃｏｍｍｕｎｉｃａｔｉｏｎ；ｍｅｓｓａｇｅ　ｓｅｎｄｉｎｇ；ｒｅｎｔａｌ　ｏｆ　ｍｅｓｓａｇｅ　ｓｅｎｄｉｎｇ　ａｐｐａｒａｔｕｓ；ｅｌｅｃｔｒｏｎｉｃ　ｍａｉｌ　ｓｅｒｖｉｃｅｓ；ｒｅｍｏｔｅ　ｓｃｒｅｅｎ　ｃｏｍｍｕｎｉｃａｔｉｏｎ；ｓａｔｅｌｌｉｔｅ　ｔｒａｎｓｍｉｓｓｉｏｎ；ｐｒｏｖｉｄｉｎｇ　ｕｓｅｒ　ａｃｃｅｓｓ　ｔｏ　ａ　ｇｌｏｂａｌ　ｃｏｍｐｕｔｅｒ　ｎｅｔｗｏｒｋ（ｓｅｒｖｉｃｅ　ｐｒｏｖｉｄｅｒｓ）；ｐｒｏｖｉｄｉｎｇ　ｔｅｌｅｃｏｍｍｕｎｉｃａｔｉｏｎｓ　ｃｏｎｎｅｃｔｉｏｎｓ　ｔｏ　ａ　ｇｌｏｂａｌ　ｃｏｍｐｕｔｅｒ　ｎｅｔｗｏｒｋ；ｒｅｎｔａｌ　ｏｆ　ｔｅｌｅｃｏｍｍｕｎｉｃａｔｉｏｎ　ｅｑｕｉｐｍｅｎｔ；ｉｎｆｏｒｍａｔｉｏｎ　ａｂｏｕｔ　ｔｅｌｅｃｏｍｍｕｎｉｃａｔｉｏｎ；ｃｏｍｍｕｎｉｃａｔｉｏｎｓ　ｂｙ　ｔｅｌｅｇｒａｍｓ；ｅｌｅｃｔｒｏｎｉｃ　ｂｕｌｌｅｔｉｎ　ｂｏａｒｄ　ｓｅｒｖｉｃｅｓ（ｔｅｌｅｃｏｍｍｕｎｉｃａｔｉｏｎｓ　ｓｅｒｖｉｃｅｓ）；ｅｌｅｃｔｒｏｎｉｃ　ｍａｉｌ；ｒｅｎｔａｌ　ｏｆ　ｔｅｌｅｐｈｏｎｅｓ；ｔｅｌｅｐｈｏｎｅ　ｓｅｒｖｉｃｅｓ；ｃｏｍｍｕｎｉｃａｔｉｏｎｓ　ｂｙ　ｔｅｌｅｐｈｏｎｅ；ｃｏｍｐｕｔｅｒ　ａｉｄｅｄ　ｔｒａｎｓｍｉｓｓｉｏｎ　ｏｆ　ｍｅｓｓａｇｅｓ　ａｎｄ　ｉｍａｇｅｓ；ｃｏｍｍｕｎｉｃａｔｉｏｎ　ｂｙ　ｃｏｍｐｕｔｅｒ　ｔｅｒｍｉｎａｌｓ；ｔｅｌｅｘ　ｓｅｒｖｉｃｅｓ；ｔｅｌｅｃｏｍｍｕｎｉｃａｔｉｏｎｓ　ｒｏｕｔｉｎｇ　ａｎｄ　ｊｕｎｃｔｉｏｎ　ｓｅｒｖｉｃｅｓ；ｎｅｗｓ　ａｇｅｎｃｉｅｓ；ｒｅｎｔａｌ　ｏｆ　ｆａｃｓｉｍｉｌｅ　ａｐｐａｒａｔｕｓ；ｆａｃｓｉｍｉｌｅ　ｔｒａｎｓｍｉｓｓｉｏｎ；ｃｅｌｌｕｌａｒ　ｔｅｌｅｐｈｏｎｅ　ｃｏｍｍｕｎｉｃａｔｉｏｎ；ｔｅｌｅｃｏｎｆｅｒｅｎｃｉｎｇ　ｓｅｒｖｉｃｅｓ；ｅｄｕｃａｔｉｏｎ　ｂｒｏａｄｃａｓｔｉｎｇ；ｒａｄｉｏ　ｂｒｏａｄｃａｓｔｉｎｇ；ｃａｂｌｅ　ｔｅｌｅｖｉｓｉｏｎ　ｂｒｏａｄｃａｓｔｉｎｇ；Ｉｎｔｅｒｎｅｔ　ｂｒｏａｄｃａｓｔｉｎｇ；ｔｅｌｅｖｉｓｉｏｎ　ｂｒｏａｄｃａｓｔｉｎｇ．」とされた。
２　原査定の拒絶の理由
　原査定は、「本願の指定商品中、第９類『ｆｌｅｘｉｂｌｅ　ｃｏｐｐｅｒ　ｃｌａｄ　ｌａｍｉｎａｔｅ　ｆｏｒ　ｃｉｒｃｕｉｔ　ｂｏａｒｄ；ｆｌｅｘｉｂｌｅ　ｃｏｐｐｅｒ　ｃｌａｄ　ｌａｍｉｎａｔｅ　ｆｏｒ　ｐｒｉｎｔｅｄ　ｃｉｒｃｕｉｔ　ｂｏａｒｄ；』は、その内容及び範囲を明確に指定したものとは認められない。したがって、本願は、商標法第６条第１項の要件を具備しない。」旨認定、判断し、本願を拒絶したものである。
３　当審の判断
　本願は、その指定商品について、前記１のとおり限定された結果、商品の内容及び範囲が明確になったものと認められる。
　その結果、本願の指定商品は、商標法第６条第１項の規定の要件を具備するものとなった。
　したがって、原査定の拒絶の理由は解消した。
　その他、政令で定める期間内に本願について拒絶の理由を発見しない。
　よって、結論のとおり審決する。